(57)【要約】【課題】現在使用していない波長光についても事前に動作を確認できる光ＡＤＭ装置を得ることを目的とする。【解決手段】任意の波長光をドロップ部に入力する光源と、ドロップ部で分離された前記光源からの波長光の光断を検出する光断検出部とを備えたことを特徴とする。【選択図】図１
2009159033.tif 000002
【特許請求の範囲】
【請求項１】
伝送路を介して入力された波長多重信号光から任意の波長光を分離するドロップ部と、前記ドロップ部より入力された波長多重信号光に任意の波長光を多重して伝送するアド部とを有する光ＡＤＭ装置において、
任意の波長光を前記ドロップ部に入力する光源と、
前記ドロップ部で分離された前記光源からの波長光の光断を検出する光断検出部と
を備えたことを特徴とする光ＡＤＭ装置。
【請求項２】
前記光源は、白色光源であることを特徴とする請求項１記載の光ＡＤＭ装置。
【発明の詳細な説明】
【技術分野】
【０００１】
この発明は、自己診断機能を有する光ＡＤＭ装置に関する。
【背景技術】
【０００２】
光ＡＤＭ（Add/Drop Multiplexing）装置とは、任意の波長光を多重して伝送するアド（Ａｄｄ）部と、任意の波長光を分離して受信するドロップ（Ｄｒｏｐ）部とを備えた波長多重伝送装置のことである。従来のＡＭＤ装置には、光スイッチの切替を行う静電アクチュエータの駆動時に発生する微小振動を検出する振動検出手段と、前記振動検出手段が検出した微小振動を解析して故障を診断する故障診断機能を備えたものがあった（例えば、特許文献１参照）。
【０００３】
【特許文献１】特開２００６−２８４７４６
【発明の開示】
【発明が解決しようとする課題】
【０００４】
光ＡＭＤ装置は一般に数十から数百程度の波長光を多重して伝送することが可能であり、光ＡＤＭ装置を実際に導入する場合には初期コストを抑えるため、必要最小限の波長光だけを用いて運用を開始し、情報トラフィックの増加に伴い、使用する波長光を徐々に増やしていく方法がとられている。しかしながら、従来の光ＡＤＭ装置は上記のように構成されてたるため、使用中の波長光に関しては故障を診断することが可能であるが、現在使用していない波長光に対する光ＡＤＭ装置の動作を確認することができず、新規に増設したい波長光を用意して実際に動作させるまでは正常性を確認できないという課題があった。
【０００５】
この発明は、上記のような課題を解決するためになされたもので、現在使用していない波長光についても事前に動作を確認できる光ＡＤＭ装置を得ることを目的とする。
【課題を解決するための手段】
【０００６】
この発明に係る光ＡＤＭ装置は、任意の波長光をドロップ部に入力する光源と、ドロップ部で分離された前記光源からの波長光の光断を検出する光断検出部とを備えたことを特徴とする。
【発明の効果】
【０００７】
この発明によれば、任意の波長光をドロップ部に入力する光源と、ドロップ部で分離された前記光源からの波長光の光断を検出する光断検出部とを備えたので、現在使用していない波長光についても事前に動作を確認できるという効果がある。
【発明を実施するための最良の形態】
【０００８】
以下、この発明における、実施の形態の一例について、添付の図面に従って説明する。
実施の形態１．
図１は、この実施の形態１による光ＡＤＭ装置１の構成図である。この実施の形態１による光ＡＤＭ装置１は、ドロップ（Ｄｒｏｐ）部２、アド（Ａｄｄ）部５、波長可変光源９、光カプラ１０、モニタ１１を備える。ドロップ部２は、伝送路を通じて入力された波長多重信号光を１：２に分割する光カプラ３及び光カプラ３で分割された波長多重信号光の一方を波長毎に分離する波長分離部４を備える。アド部５は、光カプラ３で分離された波長多重信号光の他方を波長毎に分離する波長分離部６、波長分離部６で分離された波長光から伝送したい波長光を選択するスイッチ部７及びスイッチ部７で選択された波長光を多重する波長多重部８を備える。光カプラ１０は、波長可変光源９から出力された波長光を波長多重信号光に合波して出力する。なお、波長分離部４及び波長分離部６は、波長λ１から波長λｎまで、任意の波長光を分離することができる。ｎは０を除く自然数である。
【０００９】
図２は、波長可変光源９の構成図である。
波長可変光源９は、波長制御部９１と、ヒータ９２と、光源９３と、波長モニタ９４とを備えている。波長制御部９１は、外部からの波長設定信号及び波長モニタ９５からのフィードバック信号に基づいてヒータ９２の温度制御を行う。光源９３は、ヒータ９２により熱せられ、温度に応じた波長光を出力する。光カプラ９４は、光源９３から出力された波長光を１：２に分割する。波長モニタ９５は、光カプラ９４で分割された一方の波長光をモニタし、波長制御部９１へフィードバック信号を出力する。ここで波長可変光源９としては、Ａｖａｎｅｘ社製ＰｏｗｅｒＳｏｕｒｃｅ１９３５ＴＬＩ−Ｃ（商標）等のチューナブルレーザを用いることができる。
【００１０】
図３は、モニタ１１の構成図である。
モニタ１１は、１個の光断検出部１１１、ｎ個の光カプラ１１３及び光／電気変換部１１２を備えている。光カプラ１１３は、波長分離部４で波長毎に分離された波長光を１：２に分割する。光／電気変換部１１２は、光カプラ１１３で分割された波長光の一方を電気信号へ変換する。光断検出部１１１は、光／電気変換部１１２で変換された電気信号に基づいて、光断を検出する。
【００１１】
次に、この実施の形態１による光ＡＤＭ装置１の通常動作について説明を行う。
図４は、この実施の形態１による光ＡＤＭ装置１を用いた伝送システムを示した図である。該伝送システムでは、４台の光ＡＤＭ装置＃１から＃４をリング状に配置し、光ＡＤＭ装置＃１から＃４の順番に波長多重信号光が伝送されている場合について説明する。なお、光ＡＤＭ装置＃１では波長λ１、λ２の波長光をアドに、光ＡＤＭ装置＃２では波長λ１の波長光をドロップに、光ＡＤＭ装置＃３では波長λ２の波長光をドロップ、波長λ３の波長光をアドに、光ＡＤＭ装置＃４では波長λ３の波長光をドロップにそれぞれ設定されているものとする。ここでアド設定とは、任意の波長光を波長多重信号光へ多重して伝送する設定のことを言う。また、ドロップ設定とは、任意の波長光を波長多重信号光から分離して受信する設定のことを言う。
【００１２】
初めに、光ＡＤＭ装置＃１では波長λ１及びλ２の波長光がアド設定であるため、波長λ１及びλ２の波長光が波長多重信号光へ多重されて伝送路に出力される。次に、光ＡＤＭ装置＃２では波長λ１の波長光がドロップ設定であるため、光ＡＤＭ装置＃１より入力された波長多重信号光から波長λ１が分離され、波長λ２の波長光のみが伝送路に出力される。次に、光ＡＤＭ装置＃３では波長λ２の波長光がドロップ設定、波長λ３の波長光がアド設定であるため、光ＡＤＭ装置＃２より入力された波長λ２の波長光は分離され、波長λ３の波長光が波長多重信号光へ多重され伝送路に出力される。次に、光ＡＤＭ装置＃４では波長λ３の波長光がドロップ設定であるため、光ＡＤＭ装置＃３から伝送路を介して入力された波長多重信号光から波長λ３の波長光が分離される。
【００１３】
次に、この実施の形態１によるドロップ動作の確認について説明する。
初めに、図２に示した波長可変光源９に、外部より波長設定信号を入力して、動作確認したい波長光、例えば波長λ１の波長光を出力するよう設定する。次に、この実施の形態１による光ＡＤＭ装置１において、波長λ１の波長光をドロップ設定とする。次に、波長可変光源９より、波長λ１の波長光が出力されると光カプラ１０を介して、ドロップ部２に入力される。次に、ドロップ部２に入力された波長λ１の波長光は、光カプラ３で分離され波長分離部４を介してモニタ１１で検出される。このとき、光ＡＤＭ装置１のドロップ動作が正常であれば、モニタ１１で光断は検出されない。また、ドロップ動作に異常があれば、モニタ１１で光断が検出される。また、他の波長についても同様にしてドロップ動作を確認することができる。
【００１４】
次に、この実施の形態１によるアド動作の確認について説明する。
アド動作については、光ＡＤＭ装置１単体では確認することができないため、図４に示したように、少なくとも２台の光ＡＤＭ装置１を、伝送路を介して接続する必要がある。ここでは、図４に示した伝送システムにおいて、光ＡＤＭ装置＃１のアド動作を次段の光ＡＤＭ装置＃２で確認する場合について説明する。
【００１５】
初めに、ドロップ動作の確認時と同様にして、波長λ１の波長光を出力するよう光ＡＤＭ装置＃１の波長可変光源９を設定する。次に、光ＡＤＭ装置＃１は、波長λ１の波長光をドロップ及びアド設定とし、光ＡＤＭ装置＃１のドロップ部２で分離された波長λ１の波長光を、光ＡＤＭ装置＃１のスイッチ部７へ入力する。また、光ＡＤＭ装置＃２は、波長λ１の波長光をドロップ設定とする。このとき、光ＡＤＭ装置＃１のアド動作が正常であれば、光ＡＤＭ装置＃１のＡｄｄ部５で多重された波長λ１の波長光が、次段の光ＡＤＭ装置＃２に入力されるため、モニタ１１で光断は検出されない。また、アド動作に異常があれば波長λ１の波長光が光ＡＤＭ装置＃２に入力されないため、モニタ１１で光断が検出される。また、他の波長及び他の光ＡＤＭ装置１についても同様にしてアド動作を確認することができる。
【００１６】
次に、スルー（Ｔｈｒｏｕｇｈ）動作の確認について説明する。
ここでスルー動作とは、伝送路を介して入力された波長多重信号光をそのまま伝送路を介して次段の光ＡＤＭ装置１へ伝送する動作のことをいう。なお、スルー動作についてもアド動作と同様に、光ＡＤＭ装置１単体では確認することができない。このため、図４に示した伝送システムにおいて、光ＡＤＭ装置＃１のスルー動作を次段の光ＡＤＭ装置＃２で確認する場合について説明する。
【００１７】
初めに、ドロップ動作の確認時と同様にして、波長λ１の波長光を出力するよう光ＡＤＭ装置＃１の波長可変光源９を設定する。次に、光ＡＤＭ装置＃１を、波長λ１の波長光をスルーするように設定する。また、光ＡＤＭ装置＃２は、波長λ１の波長光をドロップ設定にしておく。このとき、光ＡＤＭ装置＃１のスルー動作が正常であれば、光ＡＤＭ装置＃１の波長可変光源９から出力された波長λ１の波長光は、ドロップ部２、アド部５及び伝送路を経て次段の光ＡＤＭ装置＃２に入力されるため、次段の光ＡＤＭ装置＃２のモニタ１１で光断が検出されることはない。また、アド動作に異常があれば波長λ１の波長光が、次段の光ＡＤＭ装置＃２に入力されないため、光ＡＤＭ装置＃２のモニタ１１で光断が検出される。また、他の波長及び他の光ＡＤＭ装置１についても同様にしてスルー動作を確認することができる。
【００１８】
以上のように、この実施の形態１による光ＡＤＭ装置１は、光ＡＤＭ装置１の動作確認に必要な全ての波長光を出力する波長可変光源９と、波長可変光源９から出力された波長光を、伝送路を介して受信した波長光に多重する光カプラ１０と、ドロップ部２でドロップされた波長光をモニタするモニタ１１とを備えたので、新規に光ＡＤＭ装置１を設置した場合であっても、全ての波長光の動作確認を行うことができるという効果がある。また、情報トラフィックの増加に伴い、使用する波長光を増やす場合には、事前に該波長における動作確認を行うことができるという効果がある。
【００１９】
実施の形態２．
図５は、この発明の実施の形態２による光ＡＤＭ装置１の構成図である。実施の形態１では、動作確認のための光源として波長可変光源９を用いる形態について説明したが、この実施の形態２では、波長可変光源９の代わりに、全ての波長光を一度に出力する白色光源１２を用いた点が実施の形態１と異なる。ここで波長可変光源９としては、Ａｎｒｉｔｕｓ社製ＭＧ９２２Ａ（商標）等を用いることができる。その他の構成及び動作については、図１で説明した実施の形態１による光ＡＤＭ装置１と同様であるため説明を省略する。
【００２０】
以上のように、この実施の形態２による光ＡＤＭ装置１では、動作確認用の光源として白色光源１２を用いたため、どの波長を出力するかという制御が不要になるという効果がある。その他の効果は実施の形態１と同じである。なお、白色光源１２からは全ての波長の光が出力されるため、光ＡＤＭ装置１の運用中に、動作確認を行うと現在使用中の波長の波長光に影響を与える。このため、この実施の形態２による光ＡＤＭ装置１の動作確認は光ＡＤＭ装置１の運用前に限られる。
【図面の簡単な説明】
【００２１】
【図１】実施の形態１による光ＡＤＭ装置の構成図である。
【図２】波長可変光源の構成図である。
【図３】モニタの構成図である。
【図４】光ＡＤＭ装置を用いた伝送システムの構成図である。
【図５】実施の形態２による光ＡＤＭ装置の構成図である。
【符号の説明】
【００２２】
１  光ＡＤＭ装置、２  ドロップ部、３，１０，９４，１１３  光カプラ、４，６  波長分離部、５  アド部、７  スイッチ部、８  波長多重部、９  波長可変光源、１１  モニタ、１２  白色光源、９１  波長制御部、９２  ヒータ、９３  光源、９５  波長モニタ、１１１  光断検出部、１１２  光／電気変換部。
【図１】
2009159033.tif 000003
【図２】
2009159033.tif 000004
【図３】
2009159033.tif 000005
【図４】
2009159033.tif 000006
【図５】
2009159033.tif 000007